(57)【特許請求の範囲】
【請求項１】
端子金具を収容可能なキャビティが後方に開口して設けられたハウジングと、
前記キャビティに後方から挿入された状態で前記キャビティの内面に密着するダミー栓と、
前記キャビティの開口を囲むようにして前記ハウジングの後面に形成され、後方に向かって前記キャビティの内面に近づく傾斜をなすテーパ面と、
前記ダミー栓に設けられ、前記ダミー栓に作用する前向きの力で前記テーパ面に押し付けられる押圧部と、を備えている防水コネクタ。
【請求項２】
前記押圧部が、前記テーパ面に面接触する押圧面を有している請求項１に記載の防水コネクタ。
【請求項３】
前記押圧部が、前記テーパ面に接触する押圧突起を有している請求項１に記載の防水コネクタ。
【請求項４】
前記ダミー栓が、抜き治具を引掛ける引掛部を有している請求項１ないし請求項３のいずれか一項に記載の防水コネクタ。
【発明の詳細な説明】
【技術分野】
【０００１】
本発明は、防水コネクタに関する。
【背景技術】
【０００２】
従来、ハウジングに設けられたキャビティの開口を、電線の端末部に嵌着した防水ゴム栓によって塞ぐようにした防水コネクタが知られている。この種の防水コネクタでは、端子金具が挿入されないで空きとなるキャビティには、防水ゴム栓の替わりにダミー栓を嵌め込んで塞ぐことがある。
【０００３】
例えば下記特許文献１に記載された防水コネクタでは、円柱状をなす本体部の外周面にリップが設けられたダミー栓が、空きキャビティに嵌め込まれる。ダミー栓は、キャビティ内に押し込まれると全体が縮径方向に変形し、キャビティの内面に全周にわたって密着するようになっている。
【先行技術文献】
【特許文献】
【０００４】
【特許文献１】特開２００９−１７０２３３号公報
【発明の概要】
【発明が解決しようとする課題】
【０００５】
しかしながら、上記のような構成のダミー栓は、防水コネクタが、例えば高圧噴射の洗浄水等に晒され続けると、高い水圧によってキャビティの奥側へ移動してしまう虞がある。ダミー栓がキャビティの奥側へ押し込まれることは、シール性を確保する上で望ましくないため対策が望まれていた。
【０００６】
本発明は上記のような事情に基づいて完成されたものであって、ダミー栓がキャビティの奥側へ押し込まれることを防ぐことが可能な防水コネクタを提供することを目的とする。
【課題を解決するための手段】
【０００７】
本発明の防水コネクタは、端子金具を収容可能なキャビティが後方に開口して設けられたハウジングと、前記キャビティに後方から挿入された状態で前記キャビティの内面に密着するダミー栓と、前記キャビティの開口を囲むようにして前記ハウジングの後面に形成され、後方に向かって前記キャビティの内面に近づく傾斜をなすテーパ面と、前記ダミー栓に設けられ、前記ダミー栓に作用する前向きの力で前記テーパ面に押し付けられる押圧部と、を備えている。
【発明の効果】
【０００８】
本発明によれば、押圧部がテーパ面に押し付けられることによって、ダミー栓の前方への移動が制限されるから、ダミー栓がキャビティの奥側へ押し込まれることを防ぐことができる。
【図面の簡単な説明】
【０００９】
【図１】実施例１における防水コネクタであって、ダミー栓を嵌め込む前の状態を示す断面図
【図２】ダミー栓が嵌め込まれた状態の防水コネクタを示す断面図
【図３】防水コネクタに嵌め込まれたダミー栓を示す一部拡大断面図
【図４】実施例２における防水コネクタに嵌め込まれたダミー栓を示す一部拡大断面図
【発明を実施するための形態】
【００１０】
本発明の好ましい形態を以下に示す。
本発明の防水コネクタは、前記押圧部が、前記テーパ面に面接触する押圧面を有しているものとしてもよい。このような構成によれば、押圧部とテーパ面との接触面が広くなるから、水の浸入経路を塞ぐことができる。
【００１１】
また、本発明の防水コネクタは、前記押圧部が、前記テーパ面に接触する押圧突起を有しているものとしてもよい。このような構成によれば、押圧突起が潰れてテーパ面に密着するから、水の浸入経路を塞ぐことができる。
【００１２】
また、本発明の防水コネクタは、前記ダミー栓が、抜き治具を引掛ける引掛部を有しているものとしてもよい。このような構成によれば、ダミー栓を間違えてキャビティに挿入しても容易にダミー栓を引き抜くことができるから、ワイヤハーネスの組み立て作業を容易に行うことができる。
【００１３】
＜実施例１＞
以下、本発明を具体化した実施例１について、図１〜図３を参照しつつ詳細に説明する。
本実施例における防水コネクタＣは、端子金具Ｔを収容可能なキャビティ１１が複数設けられたハウジング１０と、端子金具Ｔが収容されない空きのキャビティ１１に挿入されるダミー栓３０とを備えている。以下、各構成部材において、ハウジング１０に対するダミー栓３０の挿入方向を前方、反対側を後方とし、また図１の上側を上方、下側を下方として説明する。
【００１４】
ハウジング１０は、合成樹脂製であって、複数のキャビティ１１が設けられた端子収容部１２と、端子収容部１２の外周を取り囲む外筒部１３とを備えている。端子収容部１２と外筒部１３との間には、ハウジング１０と図示しない相手側ハウジングとの間をシールする環状の防水シール１４が備えられている。
【００１５】
端子収容部１２には、上下左右に複数のキャビティ１１が並列して設けられている。各キャビティ１１は後方に開口して設けられ、キャビティ１１の後端の開口１６から電線Ｗの端末部に固着された端子金具Ｔが挿入される。各キャビティ１１には、挿入された端子金具Ｔに係止して、端子金具Ｔを抜け止めするランス１５が設けられている。
【００１６】
各キャビティ１１の後部は、防水ゴム栓Ｇまたはダミー栓３０が密着可能なシール面１７とされている。シール面１７は、断面円形状をなしている。キャビティ１１に端子金具Ｔが収容されると、電線Ｗの端末部に嵌着された防水ゴム栓Ｇがシール面１７に隙間なく密着し、キャビティ１１の開口１６が密閉される。
【００１７】
さて、ハウジング１０の後面には、キャビティ１１の開口１６を囲むようにしてテーパ面１８が形成されている。テーパ面１８は、ハウジング１０に設けられた全てのキャビティ１１の開口１６を個別に囲う形態で設けられている。テーパ面１８は、後方から見ると、各キャビティ１１の開口１６に沿って全周に連続する環状をなしている。
【００１８】
テーパ面１８は、後方に向かってキャビティ１１のシール面（内面）１７に近づく傾斜、言い換えると、前方に向かって次第にキャビティ１１の径方向における外側に広がる傾斜をなしている。テーパ面１８とキャビティ１１の軸線とは鋭角をなしている。テーパ面１８の勾配は、全周において一定とされている。
【００１９】
テーパ面１８は、上下方向に隣接するキャビティ１１の間に位置する部分が、外側（上段のキャビティ１１の上側および下段のキャビティ１１の下側）に位置する部分よりも、前後方向の長さ寸法が小さくされている。上下に隣接するキャビティ１１の間には、上下のテーパ面１８の間に中央凹部１９が形成されている。また、上段のキャビティ１１の上側および下段のキャビティ１１の下側には、テーパ面１８の外側に端凹部２１が形成されている。中央凹部１９よりも端凹部２１の方が深い（前後方向の寸法が長い）凹みとなっている。
【００２０】
各キャビティ１１のシール面１７と各キャビティ１１を囲うテーパ面１８との間には、環状をなして後方に突出する筒状部２２が形成されている。筒状部２２は、各キャビティ１１の開口１６を囲っている。筒状部２２の内面には、防水ゴム栓Ｇまたはダミー栓３０をキャビティ１１内に案内する案内部２３が形成されている。案内部２３は、筒状部２２の後端（キャビティ１１の後端）から前方に向かって径方向の内側に傾く（テーパ面１８と逆向きに傾く）傾斜をなしている。なお、案内部２３は、テーパ面１８よりも前後方向における長さ寸法が小さくされている。
【００２１】
ダミー栓３０は、シリコーンなどのゴム材（弾性材料）より構成され、キャビティ１１に挿入されるとシール面１７に密着する。ダミー栓３０は、キャビティ１１内に収容される本体部３１と、テーパ面１８に押し付けられる押圧部３２とを備えている。
【００２２】
本体部３１は、シール面１７の断面形状に整合した円柱形状をなしている。本体部３１の外周面には、３つのリップ部３３が設けられている。リップ部３３は、本体部３１の全周に連続して設けられ、本体部３１から径方向の外側に突出している。
【００２３】
押圧部３２は、本体部３１の後側に設けられた鍔部３４に備えられている。鍔部３４は、本体部３１よりも径方向の外側に突出している。鍔部３４の径寸法は、本体部３１よりも一回り大きく、全周にわたり連続して本体部３１から突出している。なお、鍔部３４は、リップ部３３よりも外側に突出している。
【００２４】
押圧部３２は、鍔部３４の径方向における外側の端部に、前方に突出して設けられている。押圧部３２は、鍔部３４の全周に連続して形成されている。押圧部３２の鍔部３４からの突出寸法は、中央凹部１９の凹み寸法と同等とされている。
【００２５】
押圧部３２は、テーパ面１８に面接触する押圧面３５を有している。押圧面３５は、前方に向かって径方向の外側に開くように傾斜している。押圧面３５は、押圧部３２の径方向における内側に形成されている。押圧面３５は、押圧部３２の全周にわたり一定の勾配（テーパ面１８と同等の勾配）で傾いて形成されている。押圧面３５は、押圧部３２の内周面の全体に形成されている。なお、押圧部３２の外周面は、前後方向に対して略平行な面とされている。
【００２６】
ダミー栓３０は、図示しない抜き治具を引掛ける引掛部３６を有している。引掛部３６は、ダミー栓３０の後端部に設けられ、後方に開口している。引掛部３６は、ダミー栓３０の径方向における中心部に設けられている。
【００２７】
引掛部３６は、ダミー栓３０の後端からダミー栓３０の中心軸に沿って開けられた孔部３７と、孔部３７の前側に連通して設けられた拡幅部３８とを備えている。拡幅部３８は、孔部３７よりも径方向の外側に広がって形成されている。拡幅部３８は、孔部３７よりも一回り幅寸法（径方向の寸法）が大きく、全周にわたり孔部３７よりも外側に広がっている。孔部３７は鍔部３４を貫通し、拡幅部３８は本体部３１に形成されている。
【００２８】
拡幅部３８の後面は、抜き治具の先端部が係止可能な係止面３９とされている。係止面３９は、前後方向に対して略直角をなしている。係止面３９は、拡幅部３８の全周にわたり形成されている。
【００２９】
次に、本実施例１の防水コネクタＣにおいてダミー栓３０をキャビティ１１に挿入する作業の一例を説明する。
ダミー栓３０の本体部３１をキャビティ１１の開口１６から前方に押し込む。キャビティ１１内に入ったリップ部３３は、弾性的に潰れてシール面１７に密着し、ダミー栓３０の押圧部３２と本体部３１との間には、筒状部２２が入り込む。
【００３０】
本体部３１の全体がキャビティ１１に収容されると、筒状部２２の後端が鍔部３４の前面に突き当たり、押圧部３２の押圧面３５がテーパ面１８に沿って近接した状態になる。これにより、ダミー栓３０は位置決めされる。ダミー栓３０の全てのリップ部３３はシール面１７に密着し、キャビティ１１が密閉される。こうして、ダミー栓３０をキャビティ１１に挿入する作業が完了する。
【００３１】
ここで、ダミー栓３０を、端子金具Ｔが収容される予定のキャビティ１１に誤って挿入した場合には、ダミー栓３０を抜き取る必要がある。このような場合には、抜き治具によってダミー栓３０を容易に抜き取ることができる。すなわち、抜き治具を引掛部３６に挿入し、抜き治具の先端部を係止面３９に引っ掛け、抜き治具を後方に引っ張ると、ダミー栓３０がキャビティ１１から後方に抜き取られる。引掛部３６は、ハウジング１０の後面よりも後側に突出した位置で後方に開口しているから、容易に抜き治具を挿入することができる。
【００３２】
防水コネクタＣは、高圧洗浄等の高い水圧を受ける環境におかれることがある。この場合に、ダミー栓３０の後面に高い水圧が作用し、ダミー栓３０が前方に押されると、押圧部３２がテーパ面１８に押し付けられ、ダミー栓３０の前進が制限される。したがって、ダミー栓３０がキャビティ１１の前側に移動することが防がれる。また、押圧面３５の全体がテーパ面１８に押し付けられて密着するから、押圧部３２とテーパ面１８との間からの水の浸入が防がれる。
【００３３】
次に、上記のように構成された実施例１の作用および効果について説明する。
本実施例１の防水コネクタＣは、端子金具Ｔを収容可能なキャビティ１１が後方に開口して設けられたハウジング１０と、キャビティ１１に後方から挿入されてキャビティ１１のシール面１７に密着するダミー栓３０と、を備えている。ハウジング１０の後面には、後方に向かってキャビティ１１のシール面１７に近づく傾斜をなすテーパ面１８が、キャビティ１１の開口１６を囲むようにして形成され、ダミー栓３０には、ダミー栓３０に作用する前向きの力でテーパ面１８に押し付けられる押圧部３２が設けられている。
【００３４】
この構成によれば、ダミー栓３０に高い水圧が作用しても、ダミー栓３０の押圧部３２がテーパ面１８に押し付けられることによって、ダミー栓３０の前方への移動が制限されるから、ダミー栓３０がキャビティ１１の奥側（図の左側）へ押し込まれることを防ぐことができる。
【００３５】
また、押圧部３２が、テーパ面１８に面接触する押圧面３５を有している。この構成によれば、押圧部３２とテーパ面１８との接触面が広くなるから、水の浸入経路を塞ぐことができる。
【００３６】
また、ダミー栓３０が、抜き治具を引掛ける引掛部３６を有している。この構成によれば、ダミー栓３０を間違えてキャビティ１１に挿入しても容易にダミー栓３０を引き抜くことができるから、ワイヤハーネスの組み立て作業を容易に行うことができる。
【００３７】
＜実施例２＞
次に、本発明を具体化した実施例２に係る防水コネクタ４０を図４によって説明する。
本実施例２の防水コネクタ４０は、押圧部４１が、テーパ面１８に接触する押圧突起４２を有している点で、実施例１とは相違する。なお、実施例１と同様の構成には同一符号を付して重複する説明を省略する。
【００３８】
本実施例２における防水コネクタ４０は、実施例１と同様、ハウジング１０の後面に、キャビティ１１の開口１６を囲むようにしてテーパ面１８が形成され、ダミー栓３０には、テーパ面１８に押し付けられる押圧部４１と、抜き治具を引掛ける引掛部３６とが設けられている。押圧部４１は、実施例１と同様、本体部３１の後側に設けられた鍔部３４の径方向における外側の端部に、前方に突出して設けられている。
【００３９】
押圧部４１の径方向における内側には、前後方向に対して傾斜した傾斜面４３が設けられている。傾斜面４３は、前方に向かって径方向の外側に開くように傾斜している。傾斜面４３は、押圧部４１の内周面の全体に形成されている。傾斜面４３は、押圧部４１の全周にわたり一定の勾配（テーパ面１８と同等の勾配）で傾いている。
【００４０】
押圧突起４２は、押圧部４１の内側に突設されている。押圧突起４２は、傾斜面４３の前後方向における中心に位置している。押圧突起４２は、押圧部４１の全周にわたって連続して形成されている。押圧突起４２は、断面略半円形をなして傾斜面４３から突出している。
【００４１】
本実施例２のダミー栓３０をキャビティ１１の開口１６から前方に押し込むと、押圧部４１の押圧突起４２がテーパ面１８に近接した状態になる。防水コネクタ４０が高圧洗浄等の高い水圧を受ける環境におかれて、ダミー栓３０の後面に高い水圧が作用した場合には、押圧突起４２がテーパ面１８に押し付けられて弾性的に潰れて密着し、押圧部４１とテーパ面１８との間からの水の浸入が防がれる。
【００４２】
以上のように本実施例２においては、ハウジング１０の後面に、キャビティ１１の開口１６を囲むようにしてテーパ面１８が形成され、ダミー栓３０には、テーパ面１８に押し付けられる押圧部４１が設けられているから、実施例１と同様に、ダミー栓３０の押圧部４１がテーパ面１８に押し付けられることによって、ダミー栓３０の前方への移動が制限され、もってダミー栓３０がキャビティ１１の奥側へ押し込まれることを防ぐことができる。
【００４３】
また、押圧部４１が、テーパ面１８に接触する押圧突起４２を有しているから、押圧突起４２が潰れてテーパ面１８に密着するので、水の浸入経路を塞ぐことができる。
【００４４】
＜他の実施例＞
本発明は上記記述及び図面によって説明した実施例１，２に限定されるものではなく、例えば次のような実施例も本発明の技術的範囲に含まれる。
（１）上記実施例１，２では、テーパ面１８は、キャビティ１１の開口１６に沿って全周に連続しているが、これに限らず、テーパ面は、キャビティの開口を部分的に囲むようにして間欠的に形成されていてもよい。
（２）上記実施例１，２では、押圧部３２は、鍔部３４の全周に連続して形成されているが、これに限らず、押圧部は、鍔部の周方向に部分的に形成されていてもよい。
（３）上記実施例１，２では、押圧部３２（４１）が押圧面３５または押圧突起４２を有しているが、これに限らず、押圧部はテーパ面に押し付け可能であれば、どのような形状であってもよい。
（４）上記実施例１，２では、引掛部３６の拡幅部３８が全周にわたり孔部３７から外側に広がっているが、これに限らず、引掛部の拡幅部は、周方向における一部が孔部から外側に広がるものとしてもよい。
（５）上記実施例１では、押圧面３５が押圧部３２の内面の全体に形成されているが、これに限らず、押圧面は押圧部の内面の一部に形成されていてもよい。
（６）上記実施例２では、傾斜面４３の前後方向における中心に押圧突起４２が設けられているが、これに限らず、押圧突起は、傾斜面の前後方向における前寄りまたは後寄りの位置に設けてもよく、また前後方向に複数の押圧突起を並べて設けてもよい。
【符号の説明】
【００４５】
Ｃ，４０…防水コネクタ
Ｔ…端子金具
１０…ハウジング
１１…キャビティ
１６…キャビティの開口
１７…シール面（キャビティの内面）
１８…テーパ面
３０…ダミー栓
３２，４１…押圧部
３５…押圧面
３６…引掛部
４２…押圧突起
【図１】
0006421735.tif 000002
【図２】
0006421735.tif 000003
【図３】
0006421735.tif 000004
【図４】
0006421735.tif 000005